(57)【要約】  コンバート処理を必要とすることなく、状況に応じた適切な解像度またはデータレートで映像データを再生することを課題とする。本発明の再生装置を適用した携帯情報端末１は、１のコンテンツに対し、解像度およびデータレートの少なくとも一方が異なる複数の映像データが記録された光ディスクＤを読み取る読み取り部５１と、複数の映像データの中から、再生対象となる映像データを選択する制御部５８と、選択した映像データを再生する再生処理部５９と、を備えたものである。
2008075428.tif 000002
【特許請求の範囲】
【請求項１】
１のコンテンツに対し、解像度およびデータレートの少なくとも一方が異なる複数の映像データが記録された記録媒体を読み取る読み取り手段と、
前記複数の映像データの中から、再生対象となる映像データを選択する選択手段と、
選択した前記映像データを再生する再生手段と、を備えていることを特徴とする再生装置。
【請求項２】
前記選択手段は、前記再生手段により再生された映像を出力する表示手段の解像度またはデータレートに応じて前記映像データを選択することを特徴とする請求項１に記載の再生装置。
【請求項３】
バッテリーと、
前記バッテリーの残量を検出するバッテリー残量検出手段と、をさらに備え、
前記選択手段は、検出した前記バッテリーの残量に応じて、選択する前記映像データを切り換えることを特徴とする請求項１に記載の再生装置。
【請求項４】
前記記録媒体には、前記各映像データの記録位置を示す位置情報と、前記各映像データの前記解像度および前記データレートの少なくとも一方に関する映像タイプ情報と、が記録されており、
前記選択手段は、前記位置情報および前記映像タイプ情報を参照して、切り換え後の前記映像データを検索および選択することを特徴とする請求項３に記載の再生装置。
【請求項５】
前記記録媒体には、複数の前記コンテンツに対して前記複数の映像データが記録されていると共に、前記各映像データの対応するコンテンツを識別するためのコンテンツ識別情報が記録されており、
前記選択手段は、切り換え前の前記映像データと同一の前記コンテンツ識別情報を有する前記映像データの中から切り換え後の前記映像データを選択することを特徴とする請求項３に記載の再生装置。
【請求項６】
前記選択手段は、前記映像データの再生時において、前記バッテリーの残量が第１所定値未満となったことを検出したとき、再生中の前記映像データよりも前記解像度または前記データレートの低い映像データへ切り替えると共に、前記バッテリーの残量が第２所定値（但し、第２所定値＞第１所定値）を超えたことを検出したとき、再生中の前記映像データよりも前記解像度または前記データレートの高い映像データへ切り換えることを特徴とする請求項３に記載の再生装置。
【請求項７】
前記選択手段は、前記映像データを切り換えるとき、再生中の映像データを、その時点から所定時間後まで画像解析し、その解析結果に基づいて切り換え位置を決定すると共に、当該切り換え位置で前記映像データを切り換えることを特徴とする請求項３に記載の再生装置。
【請求項８】
前記再生手段に入力するための前記映像データを一時的に格納するバッファと、
前記バッファへの前記映像データの格納を制御する格納制御手段と、をさらに備え、
前記格納制御手段は、再生中の前記映像データを前記切り換え位置まで前記バッファに格納すると共に、切り換え後の前記映像データを前記切り換え位置から前記バッファに格納し、
前記再生手段は、前記バッファから順に前記映像データを読み出して再生することを特徴とする請求項３に記載の再生装置。
【請求項９】
前記複数の映像データには、共通のタイムコードが付加されており、
前記格納制御手段は、前記タイムコードに基づいて、切り換え後の前記映像データの前記切り換え位置を検索することを特徴とする請求項８に記載の再生装置。
【請求項１０】
前記記録媒体には、前回再生終了時のタイムコードを示すレジューム情報が記録されており、
前記再生手段は、前記レジューム情報に基づいて、前記前回再生終了時から、前記映像データの再生を開始することを特徴とする請求項９に記載の再生装置。
【請求項１１】
１のコンテンツに対し、解像度およびデータレートの少なくとも一方が異なる複数の映像データと、当該各映像データの対応するコンテンツを識別するためのコンテンツ識別情報とを、１の記録媒体に記録する記録手段を備えていることを特徴とする記録装置。
【請求項１２】
前記記録手段は、
前記各映像データの記録位置を示す位置情報と、
前記各映像データの前記解像度および前記データレートの少なくとも一方に関する映像タイプ情報と、を前記記録媒体に記録することを特徴とする請求項１１に記載の記録装置。
【請求項１３】
請求項１に記載の再生装置と、
前記記録媒体と、から成ることを特徴とする再生システム。
【請求項１４】
１のコンテンツに対し、解像度およびデータレートの少なくとも一方が異なる複数の映像データと、
前記各映像データの記録位置を示す位置情報と、
前記各映像データの前記解像度および前記データレートの少なくとも一方に関する映像タイプ情報と、が記録されていることを特徴とする記録媒体。
【請求項１５】
複数の前記コンテンツに対して前記複数のデータが記録されていると共に、
前記各映像データの対応するコンテンツを識別するためのコンテンツ識別情報が記録されていることを特徴とする請求項１４に記載の記録媒体。
【発明の詳細な説明】
【技術分野】
【０００１】
本発明は、映像データを再生または記録する再生装置、記録装置、再生システムおよび記録媒体に関するものである。
【背景技術】
【０００２】
従来、映像データの送出先となる表示手段（ディスプレイやモニター等）の規格に合わせて、低解像度の映像信号を高精細解像度の映像信号に変換する技術（アップコンバート）が知られている（例えば、特許文献１）。
【特許文献１】特開２００５−１０７７８号公報
【発明の開示】
【発明が解決しようとする課題】
【０００３】
しかしながら、低解像度の映像データをアップコンバートしたとしても、もともと高精細解像度に合わせて作成された映像データと比較すると画質が劣ってしまう。また、アップコンバートするためには、画面サイズや解像度の違いを補うため、様々なコンバート処理（解像度変換等）が必要となるが、このコンバート処理は、リアルタイムで行うため、制御負荷も大きい。【０００４】
本発明は、このような問題点に鑑み、コンバート処理を必要とすることなく、状況に応じた適切な解像度またはデータレートで映像データを再生可能な再生装置、記録装置、再生システムおよび記録媒体を提供することを課題とする。
【課題を解決するための手段】
【０００５】
本発明の再生装置は、１のコンテンツに対し、解像度およびデータレートの少なくとも一方が異なる複数の映像データが記録された記録媒体を読み取る読み取り手段と、複数の映像データの中から、再生対象となる映像データを選択する選択手段と、選択した映像データを再生する再生手段と、を備えていることを特徴とする。【０００６】
この構成によれば、１のコンテンツに対し、解像度およびデータレートの少なくとも一方が異なる複数の映像データが記録媒体に記録されているため、状況に応じて再生する映像データを選択することができる。また、どの映像データを選択してもコンバート処理を必要としないため、制御負荷を軽減できると共に画質劣化を防止することができる。
なお、「１のコンテンツに対し、解像度およびデータレートの少なくとも一方が異なる複数の映像データ」とは、複数の映像データがいずれも同一内容であって、これら複数の映像データの解像度および／またはデータレートが異なることを指すものである。【０００７】
上記に記載の再生装置において、選択手段は、再生手段により再生された映像を出力する表示手段の解像度またはデータレートに応じて映像データを選択することが好ましい。【０００８】
この構成によれば、記録媒体に記録されている映像データの中から表示手段の規格（解像度またはデータレート）に適した映像データを選択して再生することができる。すなわち、表示手段の規格に合わせたコンバート処理を必要としないため、アップコンバートあるいはダウンコンバートによる画質劣化を防止することができる。【０００９】
上記に記載の再生装置において、バッテリーと、バッテリーの残量を検出するバッテリー残量検出手段と、をさらに備え、選択手段は、検出したバッテリーの残量に応じて、選択する映像データを切り換えることが好ましい。【００１０】
この構成によれば、バッテリーの残量に応じて、映像データを切り換える（解像度およびデータレートの少なくとも一方を切り換える）ことができる。これにより、バッテリーの残量が少ない場合はバッテリー消費量を抑えられる映像データに切り換える、また、バッテリーの残量が多い場合はより高解像度または高データレートの映像データに切り換えて高画質の映像を再生する、といった制御が可能となる。【００１１】
上記に記載の再生装置において、記録媒体には、各映像データの記録位置を示す位置情報と、各映像データの解像度およびデータレートの少なくとも一方に関する映像タイプ情報と、が記録されており、選択手段は、位置情報および映像タイプ情報を参照して、切り換え後の映像データを検索および選択することが好ましい。【００１２】
この構成によれば、映像タイプ情報に基づいて、切り換え対象となる映像タイプ違いの（同一内容であって、解像度およびデータレートの少なくとも一方が異なる）映像データを容易に選択することができる。また、位置情報に基づいて、選択した映像データ（切り換え後の映像データ）の記録位置を迅速に検索することができる。
なお、位置情報および映像タイプ情報は、記録媒体の管理領域に記録されるものである。特に、記録媒体が円盤状（ディスク）である場合は、内周部分に記録される。【００１３】
上記に記載の再生装置において、記録媒体には、複数のコンテンツに対して複数の映像データが記録されていると共に、各映像データの対応するコンテンツを識別するためのコンテンツ識別情報が記録されており、選択手段は、切り換え前の映像データと同一のコンテンツ識別情報を有する映像データの中から切り換え後の映像データを選択することが好ましい。【００１４】
この構成によれば、複数のコンテンツに対して複数の映像データが記録されている場合でも、コンテンツ識別情報に基づいて、切り換え対象となる映像データの候補を容易に特定することができる。すなわち、複数のコンテンツに対して複数の映像データが記録されている場合は、任意の映像データがどのコンテンツに対応するものであるのか（任意の映像データと同一内容であって映像タイプが異なるものはどの映像データか）を特定する必要があるが、その特定にコンテンツ識別情報を用いることができる。これにより、切り換え後の映像データを迅速に選択することができる。
なお、コンテンツ識別情報は、記録媒体の管理領域に記録されるものである。特に、記録媒体が円盤状（ディスク）である場合は、内周部分に記録される。【００１５】
上記に記載の再生装置において、選択手段は、映像データの再生時において、バッテリーの残量が第１所定値未満となったことを検出したとき、再生中の映像データよりも解像度またはデータレートの低い映像データへ切り替えると共に、バッテリーの残量が第２所定値（但し、第２所定値＞第１所定値）を超えたことを検出したとき、再生中の映像データよりも解像度またはデータレートの高い映像データへ切り換えることが好ましい。【００１６】
この構成によれば、バッテリーの残量が少なくなった場合は、再生中の映像データよりも解像度またはデータレートの低い映像データへ切り替えることで、バッテリーの消費を抑えることができる。また、バッテリーの残量が多い場合は、再生中の映像データよりも解像度またはデータレートの高い映像データへ切り換えることで、より高画質な映像を再生することができる。【００１７】
上記に記載の再生装置において、選択手段は、映像データを切り換えるとき、再生中の映像データを、その時点から所定時間後まで画像解析し、その解析結果に基づいて切り換え位置を決定すると共に、当該切り換え位置で映像データを切り換えることが好ましい。【００１８】
この構成によれば、再生中の映像データの解析結果に基づいて切り換え位置を決定するため、適切な位置で映像データを切り換えることができる。すなわち、映像データの解析結果により、映像がブラックアウトする部分や、静止画像の部分を切り換え位置とすることで、スムーズに（違和感なく）映像データを切り換えることができる。【００１９】
上記に記載の再生装置において、再生手段に入力するための映像データを一時的に格納するバッファと、バッファへの映像データの格納を制御する格納制御手段と、をさらに備え、格納制御手段は、再生中の映像データを切り換え位置までバッファに格納すると共に、切り換え後の映像データを切り換え位置からバッファに格納し、再生手段は、バッファから順に映像データを読み出して再生することが好ましい。【００２０】
この構成によれば、バッファ内で映像データを連結することができるため、映像の途切れや重複を防止することができる。【００２１】
上記に記載の再生装置において、複数の映像データには、共通のタイムコードが付加されており、格納制御手段は、タイムコードに基づいて、切り換え後の映像データの切り換え位置を検索することが好ましい。【００２２】
この構成によれば、共通のタイムコードを利用することで、切り換え後の映像データの切り換え位置を迅速に検索することができる。
なお、この場合、再生中の映像データのタイムコードに基づいて、切り換え位置の見当をつけ、その見当をつけた位置にジャンプした後、タイムサーチすることが好ましい。この構成によれば、映像データの記録開始位置から検索する場合と比較して、短時間に切り換え位置を検索することができる。【００２３】
上記に記載の再生装置において、記録媒体には、前回再生終了時のタイムコードを示すレジューム情報が記録されており、再生手段は、レジューム情報に基づいて、前回再生終了時から、映像データの再生を開始することが好ましい。【００２４】
この構成によれば、記録媒体にレジューム情報を記録しておくことで、前回とは異なる再生装置で再生した場合でも、前回再生終了時点から映像データの再生を開始することができる。
なお、レジューム情報は、記録媒体の管理領域内における書き換え対象領域に記録されるものである。特に、記録媒体が円盤状（ディスク）である場合は、内周部分に記録される。【００２５】
本発明の記録装置は、１のコンテンツに対し、解像度およびデータレートの少なくとも一方が異なる複数の映像データと、当該各映像データの対応するコンテンツを識別するためのコンテンツ識別情報とを、１の記録媒体に記録する記録手段を備えていることを特徴とする。【００２６】
この構成によれば、１のコンテンツに対し、解像度およびデータレートの少なくとも一方が異なる複数の映像データを生成して記録媒体に記録するため、当該記録媒体の再生処理を実行する場合は、状況に応じて再生する映像データを選択することができる。これにより、コンバート処理を必要とすることなく、表示手段の規格やバッテリーの残量に応じた適切な映像データを再生可能な記録媒体を作成することができる。また、記録媒体には、コンテンツ識別情報が記録されているため、１の記録媒体に、複数のコンテンツに対する複数の映像データを記録した場合でも、どの映像データが関連しているか（同じコンテンツに対応しているか）を判別することができる。【００２７】
上記に記載の記録装置において、記録手段は、各映像データの記録位置を示す位置情報と、各映像データの解像度およびデータレートの少なくとも一方に関する映像タイプ情報と、を記録媒体に記録することが好ましい。【００２８】
この構成によれば、記録媒体の再生処理を実行する場合、映像タイプ情報に基づいて、切り換え対象となる映像タイプ違いの（同一内容であって、解像度およびデータレートの少なくとも一方が異なる）映像データを容易に選択することができる。また、位置情報に基づいて、選択した映像データ（切り換え後の映像データ）の記録位置を迅速に検索することができる。【００２９】
本発明の再生システムは、上記に記載の再生装置と、記録媒体と、から成ることを特徴とする。【００３０】
この構成によれば、コンバート処理を必要とすることなく、状況に応じた適切な解像度またはデータレートで映像データを再生可能な再生システムを構築することができる。【００３１】
本発明の記録媒体は、１のコンテンツに対し、解像度およびデータレートの少なくとも一方が異なる複数の映像データと、各映像データの記録位置を示す位置情報と、各映像データの解像度およびデータレートの少なくとも一方に関する映像タイプ情報と、が記録されていることを特徴とする。【００３２】
この構成によれば、１のコンテンツに対し、解像度およびデータレートの少なくとも一方が異なる複数の映像データが記録されているため、状況に応じて再生する映像データを選択することができる。また、どの映像データを選択してもコンバート処理を必要としないため、制御負荷を軽減できると共に画質劣化を防止することができる。また、映像タイプ情報が記録されているため、切り換え対象となる映像タイプ違いの映像データを容易に選択することができる。また、位置情報が記録されているため、選択した映像データ（切り換え後の映像データ）の記録位置を迅速に検索することができる。【００３３】
上記に記載の記録媒体において、複数のコンテンツに対して複数のデータが記録されていると共に、各映像データの対応するコンテンツを識別するためのコンテンツ識別情報が記録されていることが好ましい。【００３４】
この構成によれば、複数のコンテンツに対して複数の映像データが記録されている場合でも、コンテンツ識別情報に基づいて、切り換え対象となる映像データの候補を容易に特定することができる。これにより、切り換え後の映像データを迅速に選択することができる。
【図面の簡単な説明】
【００３５】
【図１】本発明の一実施形態に係る再生システムＳＹのシステム構成図である。
【図２】データ情報テーブルを示す図である。
【図３】携帯情報端末のブロック図である。
【図４】携帯情報端末の再生処理を示すフローチャートである。
【図５】図４に続く、フローチャートである。
【図６】図４および図５に続く、フローチャートである。
【図７】携帯情報端末の記録処理を示すフローチャートである。
【図８】図７に続く、フローチャートである。
【符号の説明】
【００３６】
１…携帯情報端末  １１…キーボード  １２…ディスプレイ  １３…ディスクドライブ  ５１…読み取り部  ５２…書き込み部  ５３…記録処理部  ５４…バッテリー  ５５…バッテリー残量検出部  ５６…操作部  ５７…バッファ  ５８…制御部  ５９…再生処理部  ６０…映像出力部  Ｄ…光ディスク  ＳＹ…再生システム
【発明を実施するための最良の形態】
【００３７】
以下、本発明の一実施形態に係る再生装置、記録装置、再生システムおよび記録媒体について、添付図面を参照しながら詳細に説明する。本発明は、１のコンテンツに対し、解像度およびデータレートの少なくとも一方が異なる複数の映像データが記録された記録媒体を読み取り、それら複数の映像データの中から、再生対象となる映像データを、表示手段の規格やバッテリーの残量に応じて選択することを特徴とするものである。そこで、本発明の記録媒体を、書き換え可能なタイプの光ディスクに、本発明の再生装置および記録装置を、携帯情報端末（ＰＤＡ：Personal Digital Assistants等）に適用した場合を例に挙げて説明する。なお、以下の説明では、「解像度およびデータレートの少なくとも一方が異なる映像データ」を、「映像タイプが異なる映像データ」と称する。【００３８】
図１は、本発明の一実施形態に係る再生システムＳＹのシステム構成図である。同図に示すように、再生システムＳＹは、携帯情報端末１と、当該携帯情報端末１で読み取り可能な光ディスクＤと、によって構成されている。また、携帯情報端末１は、情報入力を行うためのキーボード１１と、映像データや各種情報を表示するディスプレイ１２と、光ディスクＤの読み取り／書き込みを行うディスクドライブ１３と、を有している。【００３９】
光ディスクＤには、１のコンテンツに対し、映像タイプの異なる複数の映像データと、各映像データに関する情報であるデータ情報と、レジューム機能を実現するためのレジューム情報と、が携帯情報端末１により記録可能となっている。なお、予め複数の映像データおよびデータ情報が記録された光ディスクＤを用いることも可能である。【００４０】
複数の映像データは、１のコンテンツに対して映像タイプが異なるものであるため、その映像内容は同一である。本実施形態では、２つのコンテンツ（タイトルＸ，タイトルＹ）に対し、それぞれ３つの映像データが記録されているものとして説明する（図２参照）。なお、映像データは、映像信号だけでなく音声信号を含むものであっても良い。【００４１】
データ情報は、図２に示すように、映像データ毎にレコード化されたテーブル（データ情報テーブル）として記録されており、位置情報、映像タイプ情報およびコンテンツ識別情報から成る。また、当該データ情報テーブルは、光ディスクＤの内周部に位置する管理領域に記録されている。【００４２】
位置情報は、各映像データの記録位置を示すものであり、具体的には各映像データの記録開始アドレスが記録されている。【００４３】
映像タイプ情報は、各映像データの解像度（画素数）およびデータレートを示す情報を含む。このうち解像度は、ディスプレイ１２に適した映像データを出力するための情報として利用される。また、データレートは、バッテリー５４（図３参照）の残量に応じて、再生途中で映像データを切り換えるための情報として利用される。なお、映像タイプ情報に、ＭＰＥＧ２やＭＰＥＧ４などの符号化形式を示す情報を含め、当該符号化形式に基づいて、再生する映像データを選択する（切り換える）ようにしても良い。【００４４】
コンテンツ識別情報は、各映像データの対応するコンテンツを識別するためのものである。図２に示す例では、映像データ１〜３がタイトルＸに対応し、映像データ４〜６がタイトルＹに対応している。【００４５】
一方、図１に示したレジューム情報とは、前回再生終了時のタイムコードを指すものである。このように、光ディスクＤ内にレジューム情報を記録しておくことで、前回とは異なる携帯情報端末１（再生装置）で再生した場合でも、前回再生終了時点から映像データの再生を開始することができる。なお、レジューム情報は、光ディスクＤの内周部に位置する管理領域内の書き換え対象領域に記録されるものである。また、当然のことであるが、光ディスクＤの最初の再生時や、前回再生時にレジューム情報が記録されていない場合、レジューム情報は未記録となる。【００４６】
次に、図３のブロック図を参照し、携帯情報端末１の構成について説明する。携帯情報端末１は、読み取り部５１、書き込み部５２、記録処理部５３、バッテリー５４、バッテリー残量検出部５５、操作部５６、バッファ５７、制御部５８、再生処理部５９および映像出力部６０を備えている。【００４７】
読み取り部５１および書き込み部５２は、光ディスクＤの読み取りおよび書き込みを行うものであり、ディスクドライブ１３（光ピックアップ、スピンドルモーターおよびトラッキングモーターの他、これらを駆動するためのドライバを含む）により構成される。読み取り部５１は、光ディスクＤから映像データ、データ情報およびレジューム情報を読み取り、その読み取り信号を制御部５８に出力する（読み取り手段）。書き込み部５２は、記録処理部５３からの命令に基づいて、光ディスクＤに対し、映像データ、データ情報およびレジューム情報を書き込む。【００４８】
記録処理部５３は、制御部５８の命令に基づいて、映像信号のエンコード・デコード処理やデジタル信号処理を含む記録処理を行うものであり（記録手段）、ビデオＡ／Ｄコンバータ、映像信号処理部およびＭＰＥＧエンコーダ等により構成される。特に、制御部５８から映像データの記録命令を受けた場合は、その映像データを光ディスクＤのデータエリアに、また各映像データに対応するデータ情報をリードインエリアに、それぞれ記録するように書き込み部５２に命令する。【００４９】
バッテリー５４は、携帯情報端末１に電源を供給するものであり、充電可能なものであっても使い捨てのもの（乾電池）であっても良い。【００５０】
バッテリー残量検出部５５は、バッテリー５４の残量を検出するものであり、具体的には、バッテリーの残量が第１所定値未満となったこと、および第２所定値（但し、第２所定値＞第１所定値）を超えたことを検出する。すなわち、映像データの切り換えが必要な程度までバッテリー５４の残量が少なくなっていないか、また再生中の映像データよりも高データレートの映像データに切り換えても問題がない程度にバッテリー５４の残量が増加したか、を検出するものである。【００５１】
操作部５６は、ユーザが各種操作を行うためのものであり、キーボード１１により構成される。本実施形態では、再生する映像データ（タイトル）の選択、再生指示、レジューム情報の記録指示、記録する映像タイプの選択、並びに映像データ記録の続行指示を行うために用いられる。【００５２】
バッファ５７は、再生処理部５９に入力するための映像データを一時的に格納するものである。後述の制御部５８は、当該バッファ５７を利用して、再生中の映像データと切り換え後の映像データを連結する。【００５３】
制御部５８は、携帯情報端末１全体を制御するものであり、ＣＰＵ等によって構成され、シーク制御や出力パワー制御など読み取り部５１および記録処理部５３（書き込み部５２）に対する読み書き制御を行う。また、制御部５８は、操作部５６の操作により映像データの再生が指示された場合、ディスプレイ１２の規格（解像度またはデータレート）に応じて、再生対象となる映像データを選択したり、バッテリー残量検出部５５の検出結果に応じて、選択する映像データを切り換えるといった制御を行う（選択手段）。【００５４】
また、制御部５８は、映像データの切り換えの必要が生じた場合、切り換え位置を決定して、その切り換え位置まで再生中の映像データをバッファ５７に格納し、さらに切り換え後の映像データを切り換え位置からバッファ５７に格納するなど、バッファ５７への映像データの格納を制御する（格納制御手段）。このとき、再生中の映像データを、その時点から所定時間後まで画像解析し、その解析結果に基づいて切り換え位置を決定する。これにより、例えば映像がブラックアウトする部分や静止画像の部分で映像データを切り換えることができるため、切り換えタイミングが目立たず、ユーザに違和感を与えることがない。なお、適切な切り換え位置が特定できなかった場合は、映像データの切り換えを確定した時点から所定時間後を、切り換え位置として決定する。また、制御部５８は、切り換え後の映像データの切り換え位置を検索する際、映像タイプが異なる（共通するコンテンツ識別情報を有する）複数の映像データに付加された共通のタイムコードを利用する。これにより、切り換え後の映像データの切り換え位置を迅速に検索することができる。【００５５】
再生処理部５９は、制御部５８の命令に基づいて、入力された映像信号のエンコード・デコード処理やデジタル信号処理を含む再生処理を行うものであり（再生手段）、ＭＰＥＧデコーダおよび映像信号処理部等により構成される。【００５６】
映像出力部６０は、ビデオ信号をディスプレイ１２に出力するものであり、ビデオ出力端子により構成される。なお、特に図示しないが、映像データに音声信号が含まれる場合もあるため、携帯情報端末１には、オーディオ信号を出力するための音声出力部を備えることが好ましい。【００５７】
次に、図４ないし図６に示す一連のフローチャートを参照し、携帯情報端末１（主に制御部５８および再生処理部５９）による再生処理について説明する。なお、ここでは、図２に示したデータ情報テーブルと、当該データ情報テーブルに対応する映像データ１〜６が、予め光ディスクＤに記録されているものとして説明する。【００５８】
図４のフローチャートに示すように、まず、携帯情報端末１のディスクドライブ１３（図１参照）に、光ディスクＤがセットされ、操作部５６により任意のタイトル（タイトルＸ）の再生が指示されると（Ｓ０１）、制御部５８は、データ情報テーブル（図２参照）を参照する（Ｓ０２）。そして、その参照結果に基づいて、ディスプレイ１２の規格に応じた解像度の映像データを選択する（Ｓ０３）。ここでは、タイトルＸの再生が指示されたため、制御部５８は、コンテンツ識別情報に基づいて、まず再生する映像データの候補を、映像データ１〜３と特定する。さらに、制御部５８は、例えばディスプレイ１２の解像度が１２８０×７２０である場合、映像タイプ情報（解像度を示す情報）に基づいて、再生対象となる映像データ（「映像データ２」）を選択する。【００５９】
映像データを選択すると、制御部５８は、レジューム情報が光ディスクＤに記録されているか否かを判別し（Ｓ０４）、記録されている場合は（Ｓ０４：Ｙｅｓ）、レジューム情報から、選択された映像データの再生開始アドレスを算出する（Ｓ０５）。レジューム情報としては、前回再生終了時のタイムコードが記録されているため、当該タイムコードに基づいて再生開始アドレスを算出する。再生処理部５９は、算出された当該再生開始アドレスから、選択された映像データ（「映像データ２」）の再生を開始する（Ｓ０６）。【００６０】
一方、レジューム情報が光ディスクＤに記録されていない場合（Ｓ０４：Ｎｏ）、制御部５８は、選択された映像データの先頭アドレスを取得する（Ｓ０７）。そして、再生処理部５９は、取得した当該先頭アドレスから、再生を開始する（Ｓ０６）。【００６１】
続いて、図５のフローチャートを説明する。バッテリー残量検出部５５は、映像データの再生中において、定期的および／または所定のタイミング（再生開始時や、操作部５６による節電モードまたは表示モードの切り換え指示時など）で、バッテリー残量を検出する（Ｓ１１）。ここで、バッテリー残量が第１所定値未満となったことが検出された場合（Ｓ１２：Ｙｅｓ）、制御部５８は、データ情報テーブル内の映像タイプ情報を参照し、再生中の映像データよりもデータレートの低い映像データが存在するか否かを判別する（Ｓ１３）。再生中の映像データよりもデータレートの低い映像データが存在する場合は（Ｓ１３：Ｙｅｓ）、再生中の映像データの次にデータレートの低い映像データを選択し、切り換え位置を決定する（Ｓ１４）。【００６２】
例えば、図２に示すように、再生中の映像データ（「映像データ２」）と同一のコンテンツ識別情報を有する映像データ（映像データ１〜３）の中で、再生中の映像データよりもデータレートの低い映像データ（「映像データ３」）が存在する場合、制御部５８は、まずその映像データを選択する。そして、その時点（切り換え後の映像データを選択した時点）から所定時間後まで再生中の映像データを画像解析し、その解析結果に基づいて切り換え位置を決定する。【００６３】
制御部５８は、切り換え位置を決定すると、再生中の映像データのタイムコードに基づいて、切り換え後の映像データの切り換え位置の見当をつけ、その見当をつけた位置にジャンプした後、タイムサーチする。そして、バッファ５７を利用して、再生中の映像データと切り換え後の映像データを連結する（Ｓ１５）。【００６４】
また、再生中の映像データよりもデータレートの低い映像データが存在しない場合（Ｓ１３：Ｎｏ）、再生処理部５９は、映像データの切り換えを行うことなく再生を続ける。このように、制御部５８は、Ｓ１２ないしＳ１５の工程によって、バッテリー５４の消費を抑えるための映像データの切り換え処理を実現する。これにより、例えばデータレートが半分の映像データに切り換えた場合、１秒間あたりに処理するデータ量が半分になり、制御部５８（ＣＰＵやデコード回路）の信号処理に要する負担を軽減でき、ひいては消費電力を少なくすることができる。【００６５】
一方、制御部５８は、バッテリー残量が第１所定値未満となっていない場合（Ｓ１２：Ｎｏ）、バッテリー残量が第２所定値を超えたか否かを判別する（Ｓ１６）。ここで、バッテリー残量が第２所定値を超えている場合（バッテリー５４を充電したり電池を交換した場合など，Ｓ１６：Ｙｅｓ）、再生中の映像データよりもデータレートの高い映像データが存在するか否かを判別する（Ｓ１７）。再生中の映像データよりもデータレートの高い映像データが存在する場合は（Ｓ１７：Ｙｅｓ）、その映像データが、ディスプレイ１２の規格に応じた解像度以下であるか否かをさらに判別する（Ｓ１８）。そして、再生中の映像データがディスプレイ１２の規格に応じた解像度以下である場合（Ｓ１８：Ｙｅｓ）、再生中の映像データの次にデータレートの高い映像データを選択して切り換え位置を決定した後（Ｓ１９）、バッファ５７を利用して、映像データを連結する（Ｓ２０）。【００６６】
つまり、再生中の映像データよりもデータレートの高い映像データが存在した場合でも（Ｓ１７：Ｙｅｓ）、その映像データの解像度がＳ０３で選択したディスプレイ１２の規格に応じた解像度よりも高い場合は（Ｓ１８：Ｎｏ）、映像データの切り換えを行わないようになっている。このように、制御部５８は、Ｓ１６ないしＳ２０の工程によって、再生映像の画質向上を目的とした映像データの切り換え処理を実現する。【００６７】
続いて、図６のフローチャートを説明する。制御部５８は、操作部５６による操作によって再生停止が指示されたか否かを判別し（Ｓ２１）、再生停止が指示された場合は（Ｓ２１：Ｙｅｓ）、レジューム情報を記録するか否かを判別する（Ｓ２２）。ここでは、例えばディスプレイ１２上に、「レジューム情報を記録しますか？」といったような質問内容を表示し、それに対してユーザが操作部５６により「Ｙｅｓ」を示す操作を行った場合、レジューム情報を記録すると判定する。【００６８】
レジューム情報を記録する場合は（Ｓ２２：Ｙｅｓ）、光ディスクＤの管理領域内における書き換え対象領域に、再生終了時（Ｓ２１：Ｙｅｓと判定した時点）のタイムコードを記録し（Ｓ２３）、再生処理を終了する。また、ユーザにより、レジューム情報の記録が拒否された場合は（Ｓ２２：Ｎｏ）、レジューム情報を記録することなく、再生処理を終了する。なお、同図のフローチャートには特に図示していないが、タイトルＸの再生終了に伴い、本フローチャートを終了する。【００６９】
次に、図７および図８に示す一連のフローチャートを参照し、携帯情報端末１（主に制御部５８および記録処理部５３）による記録処理について説明する。なお、ここでは、携帯情報端末１内のハードディスク（図示省略）等に、図２に示したデータ情報テーブルと、当該データ情報テーブルに対応する映像データ１〜６が、予め記録されているものとして説明する。また、ディスプレイ１２の規格に基づいて、基本となる任意の映像（以下、「基本映像」と称する）の映像データ（例えば、「映像データ２」）が予め定められているものとする。【００７０】
図７のフローチャートに示すように、まず、携帯情報端末１のディスクドライブ１３（図１参照）に、光ディスクＤがセットされ、操作部５６により任意のタイトル（タイトルＸ）の記録が指示されると（Ｓ３１）、制御部５８は、基本映像の他に、基本映像とは異なる映像タイプをユーザに紹介する（Ｓ３２）。具体的には、ディスプレイ１２上に、基本映像の映像タイプ（「映像データ２」）と、異なる映像タイプ（「映像データ１」および「映像データ３」の映像タイプ）のパターン例を表示する（データ情報テーブルの「映像タイプ情報」列参照）。このとき、各映像タイプの再生例をユーザが視聴できるように構成しても良い。【００７１】
ここで、ユーザが操作部５６の操作によって、記録する映像タイプが選択されると（Ｓ３３）、記録処理部５３は、まず基本映像の映像データ（以下、「基本映像データ」と称する）の記録を開始する（Ｓ３４）。なお、Ｓ３３では、映像タイプを複数選択しても良いし、無選択でも良い（基本映像データだけを記録することも可能である）。【００７２】
続いて、制御部５８は、ユーザが選択した映像タイプの映像データ（以下、「選択映像データ」と称する）を、同時に記録可能か否かを判別する（Ｓ３５）。具体的には、基本映像データのデータレートと、選択映像データのデータレートとの合計値が、記録処理部５３の処理速度や書き込み部５２の記録速度以下であるか否かを判別し、基本映像データと選択映像データとを同時に記録可能か否かを判別する。なお、複数の選択映像データが選択された場合は、基本映像データのデータレートと、選択された全ての映像データのデーターレートの合計が記録処理部５３の処理速度や書き込み部５２の記録速度以下であるか否かを判別し、否である場合は、いずれかの映像データを除いてさらに判別する。【００７３】
ここで、同時に記録可能であると判定した場合（Ｓ３５：Ｙｅｓ）、記録処理部５３は、選択映像データを光ディスクＤの別エリア（基本映像データとは異なる領域）に記録する（Ｓ３６）。その後、基本映像データの記録を終了したか否かを判別し（Ｓ３７）、終了していない場合は（Ｓ３７：Ｎｏ）、基本映像データの記録を続ける。また、同時に記録不可能であると判定した場合は（Ｓ３５：Ｎｏ）、基本映像データのみの記録を続ける。【００７４】
続いて、図８のフローチャートを説明する。制御部５８は、ユーザが選択した選択映像データのうち、まだ記録が終了していない映像データが存在するか否かを判別する（Ｓ４１）。さらに、記録が終了していない映像データが存在する場合は（Ｓ４１：Ｙｅｓ）、その未記録の映像データを続けて記録するか否かを判別する（Ｓ４２）。ここでは、例えばディスプレイ１２上に、「選択映像データのうち、未記録の映像データが存在します。続けて記録しますか？」といったような質問内容を表示し、それに対してユーザが操作部５６により「Ｙｅｓ」を示す操作を行った場合、続けて記録すると判定する。【００７５】
制御部５８が、続けて記録すると判定した場合（Ｓ４２：Ｙｅｓ）、記録処理部５３は、未記録の映像データを光ディスクＤに記録する（Ｓ４３）。また、続けて記録しないと判定した場合は（Ｓ４２：Ｎｏ）、その未記録の映像データを空き時間を見つけて光ディスクＤに記録する（Ｓ４４）。「空き時間」とは、ディスクドライブ１３に光ディスクＤがセットされている状態であって、光ディスクＤに対し何らかの処理（再生処理や記録処理など）を行うためのアクセスが為されていない状態を指すものである。【００７６】
基本映像データおよび全ての選択映像データの記録が終了すると、記録処理部５３は、これら映像データ毎のデータ情報を光ディスクＤ内に記録し（Ｓ４５）、記録処理を終了する。ここでは、予め携帯情報端末１内のハードディスク等に記憶されている映像データ毎のデータ情報を読み出して記録する。なお、データ情報の記録は、基本映像データおよび全ての選択映像データの記録終了時ではなく、各映像データの記録終了毎に記録するようにしても良い。【００７７】
以上、説明したとおり、本実施形態によれば、１のコンテンツに対し、映像タイプが異なる複数の映像データが光ディスクＤに記録されているため、状況に応じて再生する映像データを選択することができる。これにより、解像度変換などのコンバート処理を必要とすることなく、ディスプレイ１２の規格やバッテリー５４の残量に応じて適切な映像データを再生することができる。【００７８】
また、再生処理開始時には、ディスプレイ１２の規格に適した映像データを選択して再生するため、アップコンバートあるいはダウンコンバートによる画質劣化を防止することができる。【００７９】
また、再生途中でバッテリー５４の残量を検出し、その残量に応じて、映像データを切り換えるため、バッテリー５４の残量が少ない場合はバッテリー消費量を抑える、バッテリーの残量が多い場合はより高画質の映像を再生する、といった制御が可能となる。特に、携帯情報端末１のように小型の装置の場合、バッテリー５４の容量が小さいことが多いため、バッテリー消費量を抑えるための制御は有効である。【００８０】
なお、上記の実施形態では、ディスプレイ１２（表示手段）を搭載した携帯情報端末１を例示したが、ディスプレイ１２を搭載していない再生装置に、本発明を適用することも可能である。この場合、再生装置は、接続されたディスプレイの解像度およびデータレートに関する情報を取得し、これらの情報に基づいて、再生する映像データを選択したり（図４のＳ０３参照）、記録処理を行うための基本映像を定める。なお、接続されたディスプレイの解像度およびデータレートに関する情報の取得は、接続検出時や電源投入時に自動的に取得しても良いし、所定のコマンドをディスプレイに送信し、それに対する応答として取得しても良い。さらに、ユーザがディスプレイの規格を再生装置に入力することによって、情報を取得するようにしても良い。この場合、一度入力された情報を保持しておき、２回目以降はその保持した情報を参照するようにすれば、２回目以降のユーザによる情報入力の手間を省くことができる。【００８１】
また、上記の実施形態では、記録処理を行うための複数の映像データやデータ情報が携帯情報端末１内に予め記憶されているものとしたが、外部装置（インターネット接続されたＷｅｂサーバ等も含む）や、光ディスクＤ以外の記録媒体から取得するようにしても良い。【００８２】
また、記録処理において、予め用意されている（携帯情報端末１内や他の情報源に記録されている）複数の映像データを光ディスクＤに記録するのではなく、１の映像データに基づいて、映像タイプの異なる複数の映像データを生成し、それを記録するようにしても良い。この場合、制御部５８は、１の映像データをアップコンバートまたはダウンコンバートすることによって、ユーザによって選択された選択映像データを生成する。また、各選択映像データには、１の映像データのタイムコードをコピーして付加する。さらに、データ情報を生成し、選択映像データを記録する記録媒体と同一の記録媒体に記録する。なお、当該選択映像データの生成は、記録処理部５３による記録前に行っておいても良いし、選択映像データの記録と並行して行っても良い。【００８３】
また、記録処理において、ユーザが選択映像データを選択するものとしたが、携帯情報端末１に搭載されている表示手段（ディスプレイ１２）や接続されている表示手段の規格に応じて、制御部５８が選択する構成としても良い。この場合、制御部５８は、再生処理において基本映像データから映像データの切り換えができるように（データレートの異なるものが含まれるように）、選択映像データを選択する。また、携帯情報端末１に搭載されている以外の表示手段に表示することを目的として選択映像データを選択する場合は、ユーザがその表示手段の機種名等を入力し、当該機種名等に基づいて、制御部５８が選択映像データを選択するようにしても良い。【００８４】
また、映像データが記録された媒体、および映像データを記録するための媒体として、光ディスクＤを例示したが、ハードディスクや半導体メモリなど他の記録媒体を用いても良い。また、記録処理以外については、追記・書き換え不能なタイプの記録媒体であっても、本発明を適用可能である。但し、持ち運びが容易なように、リムーバブルタイプのものを用いることが好ましい。【００８５】
また、上記の実施形態に示した、再生システムＳＹや携帯情報端末１の各構成要素（各機能）をプログラムとして提供することも可能である。また、そのプログラムを各種記録媒体（ＣＤ−ＲＯＭ、フラッシュメモリ等）に格納して提供することも可能である。すなわち、再生システムＳＹや携帯情報端末１の各構成要素（各機能）をプログラム化したもの、およびそれを記録した記録媒体も、本発明の権利範囲に含まれる。【００８６】
また、上記の実施形態によらず、携帯情報端末１の装置構成や処理工程など、本発明を逸脱しない範囲で適宜変更が可能である。
【図１】
2008075428.tif 000003
【図２】
2008075428.tif 000004
【図３】
2008075428.tif 000005
【図４】
2008075428.tif 000006
【図５】
2008075428.tif 000007
【図６】
2008075428.tif 000008
【図７】
2008075428.tif 000009
【図８】
2008075428.tif 000010
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
１のコンテンツに対し、共通のタイムコードが付加されていると共に解像度およびデータレートの少なくとも一方が異なる複数の映像データが記録された記録媒体を読み取る読み取り手段と、
バッテリーと、
前記バッテリーの残量を検出するバッテリー残量検出手段と、
検出した前記バッテリーの残量に応じて、前記複数の映像データの中から、再生対象となる映像データを切り換える切り替え手段と、
前記映像データを再生する再生手段と、
前記再生手段に入力するための前記映像データを一時的に格納するバッファと、
前記バッファへの前記映像データの格納を制御する格納制御手段と、を備え、
前記格納制御手段は、再生中の前記映像データを前記切り替え手段による切り換え位置まで前記バッファに格納すると共に、前記タイムコードに基づいて、切り換え後の前記映像データの前記切り換え位置を検索し、当該切り換え位置から切り換え後の前記映像データを前記バッファに格納し、
前記再生手段は、前記バッファから順に前記映像データを読み出して再生することを特徴とする再生装置。
【請求項２】
１のコンテンツに対し、解像度およびデータレートの少なくとも一方が異なる複数の映像データが記録された記録媒体を読み取る読み取り手段と、
バッテリーと、
前記バッテリーの残量を検出するバッテリー残量検出手段と、
検出した前記バッテリーの残量に応じて、前記複数の映像データの中から、再生対象となる映像データを切り換える切り替え手段と、
前記映像データを再生する再生手段と、を備え、
前記切り替え手段は、前記映像データを切り換えるとき、再生中の映像データを、その時点から所定時間後まで画像解析し、その解析結果に基づいて切り換え位置を決定すると共に、当該切り換え位置で前記映像データを切り換えることを特徴とする再生装置。
【請求項３】
（削除）
【請求項４】
前記記録媒体には、前記各映像データの記録位置を示す位置情報と、前記各映像データの前記解像度および前記データレートの少なくとも一方に関する映像タイプ情報と、が記録されており、
前記切り替え手段は、前記位置情報および前記映像タイプ情報を参照して、切り換え後の前記映像データを検索および選択することを特徴とする請求項１または２に記載の再生装置。
【請求項５】
前記記録媒体には、複数の前記コンテンツに対して前記複数の映像データが記録されていると共に、前記各映像データの対応するコンテンツを識別するためのコンテンツ識別情報が記録されており、
前記切り替え手段は、切り換え前の前記映像データと同一の前記コンテンツ識別情報を有する前記映像データの中から切り換え後の前記映像データを選択することを特徴とする請求項１または２に記載の再生装置。
【請求項６】
（削除）
【請求項７】
（削除）
【請求項８】
（削除）
【請求項９】
（削除）
【請求項１０】
前記記録媒体には、前回再生終了時のタイムコードを示すレジューム情報が記録されており、
前記再生手段は、前記レジューム情報に基づいて、前記前回再生終了時から、前記映像データの再生を開始することを特徴とする請求項１に記載の再生装置。
【請求項１１】
（削除）
【請求項１２】
（削除）
【請求項１３】
請求項１または２に記載の再生装置と、
前記記録媒体と、から成ることを特徴とする再生システム。
【手続補正３】
【補正対象書類名】明細書
【補正対象項目名】０００１
【補正方法】変更
【補正の内容】
【０００１】
技術分野
［０００１］
本発明は、映像データを再生する再生装置および再生システムに関するものである。
背景技術
［０００２］
従来、映像データの送出先となる表示手段（ディスプレイやモニター等）の規格に合わせて、低解像度の映像信号を高精細解像度の映像信号に変換する技術（アップコンバート）が知られている（例えば、特許文献１）。
特許文献１：特開２００５−１０７７８号公報
発明の開示
発明が解決しようとする課題
［０００３］
しかしながら、低解像度の映像データをアップコンバートしたとしても、もともと高精細解像度に合わせて作成された映像データと比較すると画質が劣ってしまう。また、アップコンバートするためには、画面サイズや解像度の違いを補うため、様々なコンバート処理（解像度変換等）が必要となるが、このコンバート処理は、リアルタイムで行うため、制御負荷も大きい。
［０００４］
本発明は、このような問題点に鑑み、コンバート処理を必要とすることなく、状況に応じた適切な解像度またはデータレートで映像データを再生可能な再生装置および再生システムを提供することを課題とする。
課題を解決するための手段
［０００５］
本発明の再生装置は、１のコンテンツに対し、共通のタイムコードが付加されていると共に解像度およびデータレートの少なくとも一方が異なる複数の映像データが記録された記録媒体を読み取る読み取り手段と、バッテリーと、バッテリーの残量を検出するバッテリー残量検出手段と、検出したバッテリーの残量に応じて、複数の映像データの中から、再生対象となる映像データを切り換える切り替え手段と、映像データを再生する再生手段と、再生手段に入力するための映像データを一時的に格納するバッファと、バッファへの映像データの格納を制御する格納制御手段と、を備え、格納制御手段は、再生中の映像データを切り替え手段による切り換え位置までバッファに格納すると共に、タイムコードに基づいて、切り換え後の映像データの切り換え位置を検索し、当該切り換え位置から切り換え後の映像データをバッファに格納し、再生手段は、バッファから順に映像データを読み出して再生することを特徴とする。
本発明の他の再生装置は、１のコンテンツに対し、解像度およびデータレートの少なくとも一方が異なる複数の映像データが記録された記録媒体を読み取る読み取り手段と、バッテリーと、バッテリーの残量を検出するバッテリー残量検出手段と、検出したバッテリーの残量に応じて、複数の映像データの中から、再生対象となる映像データを切り換える切り替え手段と、映像データを再生する再生手段と、を備え、切り替え手段は、映像データを切り換えるとき、再生中の映像データを、その時点から所定時間後まで画像解析し、その解析結果に基づいて切り換え位置を決定すると共に、当該切り換え位置で映像データを切り換えることを特徴とする。
上記に記載の再生装置において、記録媒体には、各映像データの記録位置を示す位置情報と、各映像データの解像度およびデータレートの少なくとも一方に関する映像タイプ情報と、が記録されており、切り替え手段は、位置情報および映像タイプ情報を参照して、切り換え後の映像データを検索および選択することが好ましい。
上記に記載の再生装置において、記録媒体には、複数のコンテンツに対して複数の映像データが記録されていると共に、各映像データの対応するコンテンツを識別するためのコンテンツ識別情報が記録されており、切り替え手段は、切り換え前の映像データと同一のコンテンツ識別情報を有する映像データの中から切り換え後の映像データを選択することが好ましい。
上記に記載の再生装置において、記録媒体には、前回再生終了時のタイムコードを示すレジューム情報が記録されており、再生手段は、レジューム情報に基づいて、前回再生終了時から、映像データの再生を開始することが好ましい。
本発明の再生システムは、上記に記載の再生装置と、記録媒体と、から成ることを特徴とする。
なお、以下の構成としても良い。
本発明の再生装置は、１のコンテンツに対し、解像度およびデータレートの少なくとも一方が異なる複数の映像データが記録された記録媒体を読み取る読み取り手段と、複数の映像データの中から、再生対象となる映像データを選択する選択手段と、選択した映像データを再生する再生手段と、を備えていることを特徴とする。
［０００６］
この構成によれば、１のコンテンツに対し、解像度およびデータレートの少なくとも一方が異なる複数の映像データが記録媒体に記録されているため、状況に応じて再生
【手続補正４】
【補正対象書類名】明細書
【補正対象項目名】０００７
【補正方法】変更
【補正の内容】
【０００７】
［図６］図４および図５に続く、フローチャートである。
［図７］携帯情報端末の記録処理を示すフローチャートである。
［図８］図７に続く、フローチャートである。
符号の説明
［００３６］
１…携帯情報端末  １１…キーボード  １２…ディスプレイ  １３…ディスクドライブ  ５１…読み取り部  ５２…書き込み部  ５３…記録処理部  ５４…バッテリー  ５５…バッテリー残量検出部  ５６…操作部  ５７…バッファ  ５８…制御部  ５９…再生処理部  ６０…映像出力部  Ｄ…光ディスク  ＳＹ…再生システム
発明を実施するための最良の形態
［００３７］
以下、本発明の一実施形態に係る再生装置および再生システムについて、添付図面を参照しながら詳細に説明する。本発明は、１のコンテンツに対し、解像度およびデータレートの少なくとも一方が異なる複数の映像データが記録された記録媒体を読み取り、それら複数の映像データの中から、再生対象となる映像データを、表示手段の規格やバッテリーの残量に応じて選択することを特徴とするものである。そこで、本発明の記録媒体を、書き換え可能なタイプの光ディスクに、本発明の再生装置および記録装置を、携帯情報端末（ＰＤＡ：Ｐｅｒｓｏｎａｌ  Ｄｉｇｉｔａｌ  Ａｓｓｉｓｔａｎｔｓ等）に適用した場合を例に挙げて説明する。なお、以下の説明では、「解像度およびデータレートの少なくとも一方が異なる映像データ」を、「映像タイプが異なる映像データ」と称する。
［００３８］
図１は、本発明の一実施形態に係る再生システムＳＹのシステム構成図である。同図に示すように、再生システムＳＹは、携帯情報端末１と、当該携帯情報端末１で読み取り可能な光ディスクＤと、によって構成されている。また、携帯情報端末１は、情報入力を行うためのキーボード１１と、映像データや各種情報を表示するディスプレイ１２と、光ディスクＤの読み取り／書き込みを行うディスクドライブ１３と、を有している。
［００３９］
光ディスクＤには、１のコンテンツに対し、映像タイプの異なる複数の映像データと、各映像データに関する情報であるデータ情報と、レジューム機能を実現するためのレジューム情報と、が携帯情報端末１により記録可能となっている。なお、予め複数の映像データおよびデータ情報が記録された光ディスクＤを用いることも可能である。
【国際調査報告】
2008075428.tif 000011
2008075428.tif 000012
2008075428.tif 000013
2008075428.tif 000014
2008075428.tif 000015
2008075428.tif 000016